(57)【要約】離散的感光素子を有する少なくとも１つのセンサを使用してフィルムを走査するための装置において、センサの感光素子はビデオ信号を読み出すためにランダムにアドレシングされ、センサ上のフィルム画像に適合したアドレシングのための構成が設けられている。ここではフィルムが全幅を以てセンサに結像される。それぞれフィルム画像、送り穴、および場合により光学的音声トラックが結像されるピクセル群は別個にアドレシングされ、読み出される。
2004523975.tif 000002
【特許請求の範囲】
【請求項１】
離散的感光素子を有する少なくとも１つのセンサを使用してフィルムを走査する装置において、
センサ（１，２１，２２，２３，３７）の感光素子はビデオ信号を読み出すためにランダムにアドレシングされ、
センサ（１，２１，２２，２３，３７）上のフィルム画像に適合したアドレシングのための構成が設けられている、
ことを特徴とする走査装置。
【請求項２】
フィルム（２）は全幅を以てセンサ（１，２１，２２，２３，３７）に結像され、
それぞれフィルム画像（１２）、送り穴（１０，１１）および場合により光学的音声トラック（１３）が結像されるピクセル群が別個にアドレシングされ、読み出される、請求項１記載の走査装置。
【請求項３】
センサ（１，２１，２２，２３，３７）はＣＭＯＳセンサである、請求項１または２記載の走査装置。
【請求項４】
センサ（１，２１，２２，２３，３７）はリニアアレイセンサである、請求項１から３までのいずれか１項記載の走査装置。
【請求項５】
センサはエリアアレイセンサである、請求項１から３までのいずれか１項記載の走査装置。
【請求項６】
感光素子の種々の群から信号を、ビデオ処理回路（５）、オーディオ処理回路（３）、および送り穴評価回路（４）に読み出す、請求項２記載の走査装置。
【請求項７】
ビデオ処理回路（５）、オーディオ処理回路（３）、および送り穴評価回路（４）は１つのチップにセンサと共に配置されている、請求項６記載の走査装置。
【請求項８】
さらに相関二重走査のための装置が設けられている、請求項１から７までのいずれか１項記載の走査装置。
【請求項９】
相関二重走査のための装置はチップに配置されている、請求項８記載の走査装置。
【発明の詳細な説明】
【技術分野】
【０００１】
本発明は、離散的感光素子を備える少なくとも１つのセンサを使用してフィルムを走査する装置に関する。
【背景技術】
【０００２】
通常、フィルムスキャナと称されるフィルム走査装置は、サウンドフィルムの場合は関連するオーディオ信号も含めたビデオ信号を発生するために使用されるものであり、フィルムに記憶された画像および音声がテレビジョンを介して送信され、またはそれらを電磁記憶媒体または電子記憶媒体に格納するために使用される。ここ数十年、ＣＣＤセンサが開発され、フィルムスキャナ用のセンサとして成功している。しかしＣＣＤセンサにはその解像度と速度の点で制限がある。毎秒３０フレームで近似的に４０００×３０００ピクセルの解像度を実現するためには、例として６０ＭＨｚのピクセル速度において６７０ピクセルによる色分解ごとに６チャネルを発生および処理する必要がある。さらにＣＣＤセンサには比較的柔軟性がなく、とりわけ解像度の変化の点で柔軟性がない。一般的には新たなラインの開始前に、前のラインを完全に読み出すことが常に必要である。
【０００３】
本発明の課題は、それぞれ走査されるフィルムの幾何形状に簡単に適合することができ、処理の点では少なくとも既存のフィルムスキャナによる解像度およびＳ／Ｎ比の品質を達成することのできるフィルム走査装置を提供することである。
【０００４】
この課題は本発明では、センサの感光素子がビデオ信号の読み出しのためにランダムにアドレシングされ、センサ上のフィルム画像へ適合したアドレシングのための構成が設けられていることにより解決される。
【０００５】
感光素子およびひいては走査されたフィルムの任意のピクセルへのランダムアクセスは、走査された画像の幅をダイナミックに要求に適合することを可能にする。とりわけこのことは、フィルムが全幅を以てセンサに結像される本発明の改善形態を可能にする。そしてフィルム画像、送り穴、そして場合により光学的音声トラックが結像されるピクセル群を別個にアドレシングし、読み出すことができる。結果として、１つのセンサをフィルム画像、および場合により存在する光学的音声トラックの評価だけに用いるのではなく、このセンサは画像状態の改善のために信号を送り穴の走査によって得るためにも使用される。実際の画像領域であるフィルムのアクティブ画像幅を自由に選択可能に読み出すことができる。
【０００６】
従ってデータ速度固定的に設定されている場合、比較的小さな画像部分（少数のピクセル）を高速ライン周波数で、すなわち高速画像反復速度で読み出すことができ、または比較的大きな画像部分（多数のピクセル）を低速ライン周波数で、すなわち相応に低い画像反復速度で読み出すことができる。従って処理すべき領域をフィルム形式に適合し、対象となる領域だけを読み出すことができる。このようなフィルム形式の例は、フルアパーチャ３５ｍｍ、アカデミー３５ｍｍ、Ｓ１６ｍｍおよび１６ｍｍである。
【０００７】
本発明の実施形態による全フィルム幅の走査は例えば６０００ピクセルにより行われる。このことは送り穴の位置と場合により存在する光学的音声を含むフィルムの全情報が存在しており、必要に応じてさらなる信号処理を実行できるという利点を有する。最後に、センサ構造を複数の出力を並列に使用可能となるように設計することができ、これにより複数の出力を異なる処理段、例えばビデオ処理段、オーディオ処理段、または画像安定補正段に供給することができる。
【０００８】
本発明では有利にはセンサはＣＭＯＳセンサである。ＣＭＯＳセンサはとりわけ高解像度に適しており、ランダムアドレシングのために必要な回路とチップ上で集積することができる。ＣＭＯＳセンサは例えば、Mansoorian B. et al. "250mW, 60 Frames-per-Second, 1280Hx720V Pixel CMOS Digital Image Sensor (PB-07020)", Paper at International Solid-State Circuits Conference, February 17, 1999, ＥＰ０９０５７８７Ａ２およびＷＯ９８／５６１７０に記載されている。
【０００９】
本発明の装置では、センサはリニアアレイセンサである。さらにＣＣＤラインアレイセンサを備えるフィルムスキャナ用の公知の連続フィルムドライブを使用することができる。これにより画像、音声および送り穴を本発明の実施形態により共通に走査することによる簡素化が得られる。
【００１０】
しかしエリアアレイセンサをセンサとして使用することもできる。このために間欠的フィルム搬送を行う適切なドライブは公知である。
【００１１】
両方の場合で、１つのセンサを三色色分解に、またはカラースプリッタと関連して３つのセンサをそれぞれ１つの色分解に使用することができる。
【００１２】
本発明の装置の利点は、感光素子の種々の群から信号をビデオ処理回路、オーディオ処理回路、および送り穴評価回路に読み出すことができることである。この場合、ビデオ処理回路、オーディオ処理回路、および送り穴評価回路がセンサと共にチップ上に設けられていると有利である。１つまたは複数のＡ／Ｄ変換器も同様にチップ上に配置することができる。集積度を高めることにより簡素化され、コストも低減される。また信号処理速度も結果として上昇する。
【００１３】
個々のピクセルへのランダムアクセスによりさらに、従来のフィルムスキャナでの改善が達成される。従って相関二重走査のためのデバイスを設けることができる。相関二重走査のためのデバイスは有利にはチップに配置される。
【００１４】
本発明の実施例が図面に示されており、以下詳細に説明する。
図１は、本発明のデバイスの概略図である。
図２は、３つのセンサを有するフィルムスキャナの主要部材を示す。
図３は、三色センサを有するフィルムスキャナの主要部材を示し、それぞれ簡素化して示されている。
【００１５】
図１は、本発明の理解に必要な部材だけを示す。すなわちリニアアレイセンサ１，フィルム部分２，オーディオ処理回路３，送り穴評価回路４、およびビデオ処理回路５である。センサ１にはドライブおよび読み出し回路が内部で設けられている。すなわちシングルチップであり、信号は領域６，７，８，９からそれぞれの出力端を介して読み出される。ラインアレイセンサ１は約６０００の感光素子を有しており、それらは垂直方向のハッチングにより示されている。
【００１６】
フィルム２の送り穴１０，１１は領域６と９で画像化される。フィルム画像１２は領域７に画像化される。領域８は音声トラック１３の走査に用いる。
【００１７】
送り穴１０，１１の走査から得られた信号の評価は回路４で、水平方向と垂直方向での実際のフィルム走行と理想フィルム走行との差に相応する信号が導出されるように行われる。そしてこの信号はオーディオ処理回路３とビデオ処理回路５に信号相関のため供給される。
【００１８】
領域８を使用して信号が発生される。この信号では「ブラック」ピクセルの数が音声トラック１３の幅に相当する。これらの信号から相応の変換により、出力端１４から取り出すことのできるデジタルオーディオ信号が形成される。この場合、送り穴から得られた信号を使用して適切に遅延補正が行われる。同様に補正されたビデオ信号は出力端１５から取り出すことができる。
【００１９】
図２は３つのセンサを有するフィルムスキャナを示す。照明装置２４によりフィルム窓２５を通過するフィルムが照明される。ここでフィルムは繰り出しリール３０から第１のローラ、フィルム窓２５および第２のローラ２９を介して巻き取りリール３１に搬送される。
【００２０】
フィルムのそれぞれのラインは対物レンズ２６によりセンサ２１，２２，２３に結像される。ここでカラースプリッタ２７はセンサにそれぞれの色成分を割り当てる。この色成分は相応の信号Ｒ、Ｇ、Ｂとして増幅器３２，３３，４を介してビデオ処理回路３５に供給され、その出力端３６において適切な形式で全体カラービデオ情報を取り出すことができる。
【００２１】
図２のフィルムスキャナとは異なり、図３のフィルムスキャナは三色センサ３７を有し、この三色センサは色信号Ｒ、Ｇ、Ｂを形成する。その他の点で図３のフィルムスキャナは図２のものと同じである。
【図面の簡単な説明】
【００２２】
【図１】図１は、本発明のデバイスの概略図である。
【００２３】
【図２】図２は、３つのセンサを有するフィルムスキャナの主要部材を示す。
【００２４】
【図３】図３は、三色センサを有するフィルムスキャナの主要部材を示し、それぞれ簡素化して示されている。
【国際公開パンフレット】
2004523975.tif 000003
2004523975.tif 000004
2004523975.tif 000005
2004523975.tif 000006
2004523975.tif 000007
2004523975.tif 000008
2004523975.tif 000009
2004523975.tif 000010
2004523975.tif 000011
2004523975.tif 000012
2004523975.tif 000013
【国際調査報告】
2004523975.tif 000014
2004523975.tif 000015
2004523975.tif 000016
2004523975.tif 000017
2004523975.tif 000018
2004523975.tif 000019